(57)【要約】【課題】背面手押し状態および対面手押し状態のいずれの場合にも進行方向前方側の車輪のみが垂直線軸線回りに回動可能となるようにしたベビーカーを得ること。【解決手段】前脚１２及び後脚１４の下部にそれぞれ固着されたキャスターホルダーの側部に上下摺動可能なロック部材４７a、４７bを設け、キャスター軸に前輪１１或いは後輪１３が直進方向に向いているときに選択的に上記ロック部材が係合する凹部４５a、４５bを設け、前脚側及び後脚側のロック部材にそれぞれ両端部が連結され、前脚及び後脚内に挿通されたリードワイヤ５０a、５０ｂを、前脚に摺動可能に装着されたロック切り換え操作部材５４と前脚内において上記ロック切り換え操作部材５４と共に上下移動可能な連結具５１に、上記前脚及び後脚内に挿通されているリードワイヤを連結し、上記ロック切り換え操作部材５４の摺動により、前輪側、或いは後輪側のロック部材４７a、４７ｂを選択的に対応するキャスター軸に設けられた凹部４５a、４５bに係合するようにした。【選択図】図２
2012158331.tif 000002
【特許請求の範囲】
【請求項１】
Ｕ字状の手押し杆を前後に揺動可能に装着し、手押し杆を対面状態或いは背面状態に固定して使用し得るようにした折り畳み可能なベビーカーにおいて、
左右一対のアームレストと、
上端を前記アームレストに枢着された左右一対の前脚と、
上端を前記アームレストに枢着された左右一対の後脚と、
前記アームレストの後端に枢着された左右一対のパイプと、
パイプの下部に固着された左右一対の後脚支持部材と、
前記前脚の中間部と前記後脚支持部材との間を延び且つ前記前脚の中間部および前記後脚支持部材のそれぞれ対して揺動可能な左右一対の連結バーと、
前記後脚および前記後脚支持部材にそれぞれ枢着された左右一対のブラケットと、
前記前脚及び前記後脚の下部にそれぞれ固着され、その側部に上下摺動可能なロック部材が設けられたキャスターホルダーと、
前輪或いは後輪が直進方向に向いているときに選択的に上記ロック部材が係合する凹部が設けられているキャスター軸と、
前脚側及び後脚側のロック部材にそれぞれ両端部が連結され、前記前脚及び前記後脚内に挿通されたリードワイヤと、
前記前脚に摺動可能に装着されたロック切り換え操作部材と、
前記前脚内において上記ロック切り換え操作部材と共に上下移動可能であり、前記前脚及び前記後脚内に挿通されているリードワイヤが連結された連結具と、を有し、
前記ロック切り換え操作部材の摺動により、前輪側、或いは後輪側のロック部材を選択的に対応するキャスター軸に設けられた凹部に係合するようになっており、
前記手押し杆は、前記後脚支持部材に枢着されており、
前記ロック切り替え操作部材は、前方に揺動された前記手押し杆によって押圧されて、前記前脚に沿って下方に摺動する、ことを特徴とするベビーカー。
【請求項２】
Ｕ字状の手押し杆を前後に揺動可能に装着し、手押し杆を対面状態或いは背面状態に固定して使用し得るようにした折り畳み可能なベビーカーにおいて、
アームレストと、
上端を前記アームレストに枢着された前脚と、
上端を前記アームレストに枢着された後脚と、
前記アームレストの後端に枢着されたパイプと、
パイプの下部に固着された後脚支持部材と、
前記前脚の中間部と前記後脚支持部材との間を延び且つ前記前脚の中間部および前記後脚支持部材のそれぞれに対して揺動可能な連結バーと、
前記後脚および前記後脚支持部材にそれぞれ枢着されたブラケットと、
前記前脚及び前記後脚の下部にそれぞれ固着され、その側部に上下摺動可能なロック部材が設けられたキャスターホルダーと、
前輪或いは後輪が直進方向に向いているときに選択的に上記ロック部材が係合する凹部が設けられているキャスター軸と、
前脚側及び後脚側のロック部材にそれぞれ両端部が連結され、前記前脚及び前記後脚内に挿通されたリードワイヤと、
前記前脚に摺動可能に装着されたロック切り換え操作部材と、
前記前脚内において上記ロック切り換え操作部材と共に上下移動可能であり、前記前脚及び前記後脚内に挿通されているリードワイヤが連結された連結具と、を有し、
前記ロック切り換え操作部材の摺動により、前輪側、或いは後輪側のロック部材を選択的に対応するキャスター軸に設けられた凹部に係合するようになっており、
前記手押し杆は、前記後脚支持部材に枢着されており、
前記ロック切り替え操作部材は、前方に揺動された前記手押し杆によって押圧されて、前記前脚に沿って下方に摺動する、ことを特徴とするベビーカー。
【請求項３】
前脚及び後脚内に挿通されたリードワイヤは連結具により連結されており、その連結具と前脚との間に、前脚内に挿通されたリードワイヤを介して前脚側のロック部材を上方に付勢するスプリングが設けられていることを特徴とする、請求項１または２に記載のベビーカー。
【請求項４】
Ｕ字状の手押し杆を前後に揺動可能に装着し、手押し杆を対面状態或いは背面状態に固定して使用し得るようにした折り畳み可能なベビーカーにおいて、
左右一対のアームレストと、
上端を前記アームレストに枢着された左右一対の前脚と、
上端を前記アームレストに枢着された左右一対の後脚と、
前記アームレストの後端に枢着された左右一対のパイプと、
パイプの下部に固着された左右一対の後脚支持部材と、
前記前脚の中間部と前記後脚支持部材との間を延び且つ前記前脚の中間部および前記後脚支持部材のそれぞれに対して揺動可能な左右一対の連結バーと、
前記後脚および前記後脚支持部材にそれぞれ枢着された左右一対のブラケットと、
前記前脚及び前記後脚の下部にそれぞれ固着され、その側部に上下摺動可能なロック部材が設けられたキャスターホルダーと、
前輪或いは後輪が直進方向に向いているときに選択的に上記ロック部材が係合する凹部が設けられているキャスター軸と、
前記前脚及び前記後脚内に挿通されたリードワイヤと、
前記前脚に摺動可能に装着されたロック切り換え操作部材と、
前記前脚内において上記ロック切り換え操作部材と共に上下移動可能であり、前記前脚及び前記後脚内に挿通されているリードワイヤが連結された連結具と、を有し、
前記リードワイヤは、前記前脚側のロック部材と連結具との間、並びに、前記後脚側のロック部材と連結具との間を延び、
前記ロック切り換え操作部材の摺動により、前輪側、或いは後輪側のロック部材を選択的に対応するキャスター軸に設けられた凹部に係合するようになっており、
前記手押し杆は、前記後脚支持部材に枢着されており、
前記ロック切り替え操作部材は、前方に揺動された前記手押し杆によって押圧されて、前記前脚に沿って下方に摺動する、ことを特徴とするベビーカー。
【請求項５】
Ｕ字状の手押し杆を前後に揺動可能に装着し、手押し杆を対面状態或いは背面状態に固定して使用し得るようにした折り畳み可能なベビーカーにおいて、
アームレストと、
上端を前記アームレストに枢着された前脚と、
上端を前記アームレストに枢着された後脚と、
前記アームレストの後端に枢着されたパイプと、
パイプの下部に固着された後脚支持部材と、
前記前脚の中間部と前記後脚支持部材との間を延び且つ前記前脚の中間部および前記後脚支持部材のそれぞれに対して揺動可能な連結バーと、
前記後脚および前記後脚支持部材にそれぞれ枢着されたブラケットと、
前記前脚及び前記後脚の下部にそれぞれ固着され、その側部に上下摺動可能なロック部材が設けられたキャスターホルダーと、
前輪或いは後輪が直進方向に向いているときに選択的に上記ロック部材が係合する凹部が設けられているキャスター軸と、
前記前脚及び前記後脚内に挿通されたリードワイヤと、
前記前脚に摺動可能に装着されたロック切り換え操作部材と、
前記前脚内において上記ロック切り換え操作部材と共に上下移動可能であり、前記前脚及び前記後脚内に挿通されているリードワイヤが連結された連結具と、を有し、
前記ロック切り換え操作部材の摺動により、前輪側、或いは後輪側のロック部材を選択的に対応するキャスター軸に設けられた凹部に係合するようになっており、
前記手押し杆は、前記後脚支持部材に枢着されており、
前記ロック切り替え操作部材は、前方に揺動された前記手押し杆によって押圧されて、前記前脚に沿って下方に摺動する、ことを特徴とするベビーカー。
【請求項６】
ロック切り替え操作部材には、手押し杆が前方に揺動されたときその手押し杆により押圧され、ロック切り替え操作部材を下方に摺動させる突片が設けられている、ことを特徴とする、請求項１〜５のいずれか一項に記載のベビーカー。
【請求項７】
前記手押し杆は、前記ロック切り替え操作部材の前記突片に当接する突部を有し、
前記突部は、当該突部が設けられている位置での前記手押し杆の長手方向と交差する方向へ向けて、前記手押し杆から突出している、ことを特徴とする請求項６に記載のベビーカー。
【請求項８】
前記ロック部材は、上方に摺動した際に、前記キャスターホルダーの側部に内蔵されており、下方に摺動した際に、前記キャスターホルダーの下部から下方に突出し、前記キャスターホルダーの下方に設けられたキャスター軸の凹部に係合し、
前記ロック部材は、前記キャスターホルダーの周囲から側方に突出していない、ことを特徴とする請求項１〜７のいずれか一項に記載のベビーカー。
【請求項９】
前記前輪を支持する前記キャスター軸は、前記キャスターホルダーの下方に設けられ、且つ、前記キャスターホルダーに対して上下方向に摺動可能であり、
前記キャスター軸が前記キャスターホルダーに対して下方に摺動した際に、前記キャスターホルダーの前記ロック部材と前記キャスター軸の前記凹部との係合が解除される、ことを特徴とする請求項１〜８のいずれか一項に記載のベビーカー。
【請求項１０】
前記前輪を支持する前記キャスター軸には、位置固定ピンが進退自在に設けられ、
前記前輪を支持する前記キャスター軸と係合する前記キャスターホルダー内には、前記キャスター軸が前記キャスターホルダーに対して下方に摺動した際に、前記位置固定ピンに係合するようになる凹溝が設けられ、
前記位置固定ピンと前記凹溝との係合によって、前記キャスター軸の前記キャスターホルダーに対する回動が規制される、ことを特徴とする請求項９に記載のベビーカー。
【請求項１１】
前記後輪を支持する前記キャスター軸は、前記手押し杆が後方に揺動している際に、前記キャスターホルダーに対する回動を規制される、ことを特徴とする請求項１〜１０のいずれか一項に記載のベビーカー。
【請求項１２】
前記連結バーは、前記前脚の中間部および前記後脚支持部材のそれぞれに枢着されている、請求項１〜１１のいずれか一項に記載のベビーカー。
【発明の詳細な説明】
【発明の属する技術分野】
【０００１】
本発明は、ベビーカーに係り、特に対面、背面のハンドル切り替えを可能にしたベビーカーに関する。
【従来の技術及び発明が解決しようとする課題】
【０００２】
一般に、乳幼児を散歩や買物等のために屋外に連れ出す場合に使用するベビーカーにおいては、必要に応じて折り畳み、収納や携帯が容易になるようにするとともに、乳幼児の背面からの手押し状態とする背面状態としたり、使用者が乳幼児と対面した手押し状態とした対面状態とするものが種々提案され実用に供されている。
【０００３】
しかしながら、ベビーカーに於いては、一般に前輪を垂直軸線回りに回動可能にしてその走行操作性をよくすることが行われているため、上述のように乳幼児の背面からの手押し状態とする背面手押し状態から使用者が乳幼児と対面した手押し状態とした対面手押し状態とした場合には、進行方向後方側の車輪が垂直軸線回りに回動可能なものとなり、操向性が損なわれる場合があり、走行がスムースに行われない等の問題がある。そこで、前輪及び後輪の両者とも垂直線軸線回りに回動可能とすることも考えられるが、ベビーカーの直進走行が困難になる等の問題がある。
【０００４】
本発明は、このような点に鑑み、背面手押し状態および対面手押し状態のいずれの場合にも進行方向前方側の車輪のみが垂直線軸線回りに回動可能となるようにしたベビーカーを得ることを目的とする。
【発明の概要】
【課題を解決するための手段】
【０００５】
本発明による第１のベビーカーは、
Ｕ字状の手押し杆を前後に揺動可能に装着し、手押し杆を対面状態或いは背面状態に固定して使用し得るようにした折り畳み可能なベビーカーにおいて、
左右一対のアームレストと、
上端を前記アームレストに枢着された左右一対の前脚と、
上端を前記アームレストに枢着された左右一対の後脚と、
前記アームレストの後端に枢着された左右一対のパイプと、
パイプの下部に固着された左右一対の後脚支持部材と、
前記前脚の中間部と前記後脚支持部材との間を延び且つ前記前脚の中間部および前記後脚支持部材のそれぞれ対して揺動可能な左右一対の連結バーと、
前記後脚および前記後脚支持部材にそれぞれ枢着された左右一対のブラケットと、
前記前脚及び前記後脚の下部にそれぞれ固着され、その側部に上下摺動可能なロック部材が設けられたキャスターホルダーと、
前輪或いは後輪が直進方向に向いているときに選択的に上記ロック部材が係合する凹部が設けられているキャスター軸と、
前脚側及び後脚側のロック部材にそれぞれ両端部が連結され、前記前脚及び前記後脚内に挿通されたリードワイヤと、
前記前脚に摺動可能に装着されたロック切り換え操作部材と、
前記前脚内において上記ロック切り換え操作部材と共に上下移動可能であり、前記前脚及び前記後脚内に挿通されているリードワイヤが連結された連結具と、を有し、
前記ロック切り換え操作部材の摺動により、前輪側、或いは後輪側のロック部材を選択的に対応するキャスター軸に設けられた凹部に係合するようになっており、
前記手押し杆は、前記後脚支持部材に枢着されており、
前記ロック切り替え操作部材は、前方に揺動された前記手押し杆によって押圧されて、前記前脚に沿って下方に摺動する。
本発明による第２のベビーカーは、
Ｕ字状の手押し杆を前後に揺動可能に装着し、手押し杆を対面状態或いは背面状態に固定して使用し得るようにした折り畳み可能なベビーカーにおいて、
アームレストと、
上端を前記アームレストに枢着された前脚と、
上端を前記アームレストに枢着された後脚と、
前記アームレストの後端に枢着されたパイプと、
パイプの下部に固着された後脚支持部材と、
前記前脚の中間部と前記後脚支持部材との間を延び且つ前記前脚の中間部および前記後脚支持部材のそれぞれに対して揺動可能な連結バーと、
前記後脚および前記後脚支持部材にそれぞれ枢着されたブラケットと、
前記前脚及び前記後脚の下部にそれぞれ固着され、その側部に上下摺動可能なロック部材が設けられたキャスターホルダーと、
前輪或いは後輪が直進方向に向いているときに選択的に上記ロック部材が係合する凹部が設けられているキャスター軸と、
前脚側及び後脚側のロック部材にそれぞれ両端部が連結され、前記前脚及び前記後脚内に挿通されたリードワイヤと、
前記前脚に摺動可能に装着されたロック切り換え操作部材と、
前記前脚内において上記ロック切り換え操作部材と共に上下移動可能であり、前記前脚及び前記後脚内に挿通されているリードワイヤが連結された連結具と、を有し、
前記ロック切り換え操作部材の摺動により、前輪側、或いは後輪側のロック部材を選択的に対応するキャスター軸に設けられた凹部に係合するようになっており、
前記手押し杆は、前記後脚支持部材に枢着されており、
前記ロック切り替え操作部材は、前方に揺動された前記手押し杆によって押圧されて、前記前脚に沿って下方に摺動する。
本発明による第１または第２のベビーカーにおいて、前脚及び後脚内に挿通されたリードワイヤは連結具により連結されており、その連結具と前脚との間に、前脚内に挿通されたリードワイヤを介して前脚側のロック部材を上方に付勢するスプリングが設けられていてもよい。
本発明による第３のベビーカーは、
Ｕ字状の手押し杆を前後に揺動可能に装着し、手押し杆を対面状態或いは背面状態に固定して使用し得るようにした折り畳み可能なベビーカーにおいて、
左右一対のアームレストと、
上端を前記アームレストに枢着された左右一対の前脚と、
上端を前記アームレストに枢着された左右一対の後脚と、
前記アームレストの後端に枢着された左右一対のパイプと、
パイプの下部に固着された左右一対の後脚支持部材と、
前記前脚の中間部と前記後脚支持部材との間を延び且つ前記前脚の中間部および前記後脚支持部材のそれぞれに対して揺動可能な左右一対の連結バーと、
前記後脚および前記後脚支持部材にそれぞれ枢着された左右一対のブラケットと、
前記前脚及び前記後脚の下部にそれぞれ固着され、その側部に上下摺動可能なロック部材が設けられたキャスターホルダーと、
前輪或いは後輪が直進方向に向いているときに選択的に上記ロック部材が係合する凹部が設けられているキャスター軸と、
前記前脚及び前記後脚内に挿通されたリードワイヤと、
前記前脚に摺動可能に装着されたロック切り換え操作部材と、
前記前脚内において上記ロック切り換え操作部材と共に上下移動可能であり、前記前脚及び前記後脚内に挿通されているリードワイヤが連結された連結具と、を有し、
前記リードワイヤは、前記前脚側のロック部材と連結具との間、並びに、前記後脚側のロック部材と連結具との間を延び、
前記ロック切り換え操作部材の摺動により、前輪側、或いは後輪側のロック部材を選択的に対応するキャスター軸に設けられた凹部に係合するようになっており、
前記手押し杆は、前記後脚支持部材に枢着されており、
前記ロック切り替え操作部材は、前方に揺動された前記手押し杆によって押圧されて、前記前脚に沿って下方に摺動する。
本発明による第４のベビーカーは、
Ｕ字状の手押し杆を前後に揺動可能に装着し、手押し杆を対面状態或いは背面状態に固定して使用し得るようにした折り畳み可能なベビーカーにおいて、
アームレストと、
上端を前記アームレストに枢着された前脚と、
上端を前記アームレストに枢着された後脚と、
前記アームレストの後端に枢着されたパイプと、
パイプの下部に固着された後脚支持部材と、
前記前脚の中間部と前記後脚支持部材との間を延び且つ前記前脚の中間部および前記後脚支持部材のそれぞれに対して揺動可能な連結バーと、
前記後脚および前記後脚支持部材にそれぞれ枢着されたブラケットと、
前記前脚及び前記後脚の下部にそれぞれ固着され、その側部に上下摺動可能なロック部材が設けられたキャスターホルダーと、
前輪或いは後輪が直進方向に向いているときに選択的に上記ロック部材が係合する凹部が設けられているキャスター軸と、
前記前脚及び前記後脚内に挿通されたリードワイヤと、
前記前脚に摺動可能に装着されたロック切り換え操作部材と、
前記前脚内において上記ロック切り換え操作部材と共に上下移動可能であり、前記前脚及び前記後脚内に挿通されているリードワイヤが連結された連結具と、を有し、
前記ロック切り換え操作部材の摺動により、前輪側、或いは後輪側のロック部材を選択的に対応するキャスター軸に設けられた凹部に係合するようになっており、
前記手押し杆は、前記後脚支持部材に枢着されており、
前記ロック切り替え操作部材は、前方に揺動された前記手押し杆によって押圧されて、前記前脚に沿って下方に摺動する。
本発明による第１〜第４のいずれかのベビーカーにおいて、ロック切り替え操作部材には、手押し杆が前方に揺動されたときその手押し杆により押圧され、ロック切り替え操作部材を下方に摺動させる突片が設けられていてもよい。
本発明による第１〜第４のいずれかのベビーカーにおいて、前記手押し杆は、前記ロック切り替え操作部材の前記突片に当接する突部を有し、前記突部は、当該突部が設けられている位置での前記手押し杆の長手方向と交差する方向へ向けて、前記手押し杆から突出していてもよい。
本発明による第１〜第４のいずれかのベビーカーにおいて、前記ロック部材は、上方に摺動した際に、前記キャスターホルダーの側部に内蔵されており、下方に摺動した際に、前記キャスターホルダーの下部から下方に突出し、前記キャスターホルダーの下方に設けられたキャスター軸の凹部に係合し、前記ロック部材は、前記キャスターホルダーの周囲から側方に突出していないようにしてもよい。
本発明による第１〜第４のいずれかのベビーカーにおいて、前記前輪を支持する前記キャスター軸は、前記キャスターホルダーの下方に設けられ、且つ、前記キャスターホルダーに対して上下方向に摺動可能であり、前記キャスター軸が前記キャスターホルダーに対して下方に摺動した際に、前記キャスターホルダーの前記ロック部材と前記キャスター軸の前記凹部との係合が解除されるようにしてもよい。このような本発明によるベビーカーにおいて、前記前輪を支持する前記キャスター軸には、位置固定ピンが進退自在に設けられ、前記前輪を支持する前記キャスター軸と係合する前記キャスターホルダー内には、前記キャスター軸が前記キャスターホルダーに対して下方に摺動した際に、前記位置固定ピンに係合するようになる凹溝が設けられ、前記位置固定ピンと前記凹溝との係合によって、前記キャスター軸の前記キャスターホルダーに対する回動が規制されるようにしてもよい。
本発明による第１〜第４のいずれかのベビーカーにおいて、前記後輪を支持する前記キャスター軸は、前記手押し杆が後方に揺動している際に、前記キャスターホルダーに対する回動を規制されるようにしてもよい。
本発明による第１〜第４のいずれかのベビーカーにおいて、前記連結バーは、前記前脚の中間部および前記後脚支持部材のそれぞれに枢着されていてもよい。
本発明による第５のベビーカーは、Ｕ字状の手押し杆を前後に揺動固定可能に装着し、対面状態或いは背面状態で使用し得るようにしたベビーカーにおいて、前脚及び後脚の下部にそれぞれ固着され、その側部に上下摺動可能なロック部材が設けられたキャスターホルダーと、前輪或いは後輪が直進方向に向いているときに選択的に上記ロック部材が係合する凹部が設けられているキャスター軸と、前脚側及び後脚側のロック部材にそれぞれ両端部が連結され、前脚及び後脚内に挿通されたリードワイヤと、前脚に摺動可能に装着されたロック切り換え操作部材と、前脚内において上記ロック切り換え操作部材と共に上下移動可能であり、上記前脚及び後脚内に挿通されているリードワイヤが連結された連結具とを有し、上記ロック切り換え操作部材の摺動により、前輪側、或いは後輪側のロック部材を選択的に対応するキャスター軸に設けられた凹部に係合するようにしたことを特徴とする。
【０００６】
本発明による第５のベビーカーにおいて、ロック切り替え操作部材には、手押し杆が前方に揺動されたときその手押し杆により押圧され、ロック切り替え操作部材を下方に摺動させる突片が設けられていてもよい。
【０００７】
本発明による第５のベビーカーにおいて、前脚及び後脚内に挿通されたリードワイヤは連結具により連結されており、その連結具と前脚との間に、前脚内に挿通されたリードワイヤを介して前脚側のロック部材を上方に付勢するスプリングが設けられていてもよい。
【発明の効果】
【０００８】
本発明は以下に説明するように構成したので、前脚に摺動可能に装着されたロック切り換え操作部材を上方或いは下方に移動させることにより、前脚及び後脚内に挿通されたリードワイヤを介して前脚或いは後脚の側部に設けられたロック部材をキャスター軸に設けられた凹部に選択的に係合させることができ、ベビーカーの背面手押し状態或いは対面手押し状態のいずれの状態の時も進行方向前方側の車輪のみが垂直軸線回りに回動可能となり、ベビーカーの走向時における操向性を常によい状態に維持することができ、スムースな走向を行わせることができる。しかも、前脚内に配設された連結具に前脚及び後脚内に挿通されたリードワイヤを連結し、その連結具をロック切り換え操作部材により移動させるようにしたので、リードワイヤとロック切り換え操作部材との連結部が前脚内にあり、前脚に対してロック切り換え装置が摺動可能に装着されているだけなので外観がよく、誤操作性も少ない等の効果を奏する。
【図面の簡単な説明】
【０００９】
【図１】本発明のベビーカーの概略構成を示す斜視図。
【図２】上記ベビーカーの側面図。
【図３】パイプと後脚との連結部の拡大側面図。
【図４】手押し杆の係止部材およびロック解除部材部の構成を示す部分斜視図。
【図５】手押し杆の揺動作動説明図。
【図６】手押し杆を対面状態に揺動したベビーカーの側面図。
【図７】前輪及び後輪のキャスターホルダー部の拡大断面図であって、（ａ）は前輪部、（ｂ）は後輪部を示す図。
【図８】ロック切り換え操作部材部の断面図であって、（ａ）は背面押し状態時、（ｂ）は対面押し状態時を示す図。
【図９】（ａ）、（ｂ）は対面押し状態時における前輪部及び後輪部のロック或いはロック解放状態を示す図。
【図１０】本発明の他の実施の形態を示すキャスターホルダー部の断面図。
【図１１】図１０に示すものの作動説明図。
【発明の実施の形態】
【００１０】
以下、添付図面を参照して本発明の実施の形態について説明する。
【００１１】
図１は本発明のベビーカーの概略構成を示す斜視図、図２はその側面図であって、前輪１１を有する左右一対の前脚１２、後輪１３を有する左右一対の後脚１４、ほぼＵ字状に屈曲された手押し杆１５、左右一対のアームレスト１６、およびそのアームレスト１６の一端がそれぞれ枢着された、互いに平行に延びる左右２本のパイプ１７を有している。
【００１２】
上記各アームレスト１６の他端部には前脚１２が枢着されており、その左右のアームレスト１６の先端部間には弧状の屈曲可能なガードアーム１８が着脱自在に掛け渡されている。また左右のアームレスト１６には後脚１４の上端が枢着されている。左右の前脚１２は足乗せ板１９を有する前側連結バー２０によって連結されており、左右の後脚１４は後側連結バー２１によって連結されている。さらに各前脚１２の中間部には連結バー２２の前端がそれぞれ枢着され、その連結バー２２の後端は、それぞれ前記パイプ１７の下部に固着された後脚支持部材２３に枢着されている。また左右の連結バー２２は上側連結バー２４によって連結されている。そして、これらの前脚１２、後脚１４、アームレスト１６、パイプ１７、およびそれらを連結する連結バー２０、２１、２２、２４によってベビーカー本体が構成されている。
【００１３】
図３に特に拡大して示すように、後脚１４にはＬ字状のブラケット２５の下端部が枢着されており、その中間部が上記後脚支持部材２３に枢着されている。そのブラケット２５の自由端部には後脚１４をパイプ１７にロックするロック部材２６の係止段部２６aと係合する切り欠き段部２５aが設けられている。上記ロック部材２６は上記パイプ１７に摺動可能に装着されており、手押し杆に設けられた遠隔操作装置によってパイプ１７に沿って上下摺動操作されるようにしてある。また、後脚支持部材２３には後脚１４と対向する面に展開時の後脚１４に当接しその展開状態を保持する段部２３aが形成されている。
【００１４】
しかして、図３に示すように、ロック部材２６がＬ字状のブラケット２５の切り欠き段部２５aに係合すると、そのブラケット２５を介して後脚１４とパイプ１７とがロックされ、ベビーカー本体が使用可能な展開状態に保持される。一方、手押し杆に設けられた遠隔操作装置によってロック部材２６が一点鎖線で示すように引き上げられると、ロック部材２６によるロックが解放され、アームレスト１６、前脚１２（図示せず）、後脚１４が一点鎖線で示すように上方に揺動可能となり、携帯等に便利なように２つに折り畳むことができる。
【００１５】
ところで、図１に示すように、前記左右のパイプ１７の下部にそれぞれ固着された後脚支持部材２３には、その外側面にＵ字状の手押し杆１５の下端部が軸２７を中心として前後に揺動可能に枢着されている。また、アームレスト１６の外側面には、その前端部及び後端部に横方向に突出する係止突起２８、２９が固設されている。一方、手押し杆１５には上記係止突起２８或いは２９に係合する係止部材３０がその手押し杆１５に沿って摺動可能に装着されており（図４、５）、その係止部材３０はスプリングを介して下方に付勢されている。
【００１６】
一方、係止部材３０には、図５に示すように、パイプ１７と対向する面側に上下方向に延びるとともに下端部に後方向に開放する開放部３１aを有するＬ字状の係止用の第１の凹部３１が設けられており、またその第１の凹部３１の下方には上下方向に延びるとともに前方及び下方に開放する第２の係止用凹部３２が設けられている。
【００１７】
しかして、手押し杆に設けられた遠隔操作装置によって係止部材３０を上方に引き上げて手押し杆１５を後方に揺動させると、図５に示すように、第１の凹部３１の後方への開放部３１aを経て第１の凹部３１内に係止突起２９が挿入され、係止部材３０の下方への移動によって上記係止突起２９が第１の凹部３１に係合される。これによって、図２に示すように、手押し杆１５が後方揺動位置、すなわち背面押し状態に固定される。一方、図５の鎖線に示すように、係止部材３０を上方に引き上げて手押し杆１５を前方に揺動させると、第２の係止用凹部３２が係止突起２８に係合し、係止部材３０の下方への移動によって図６に示すように、手押し杆１５が前方揺動位置、すなわち対面押し状態に固定される。
【００１８】
また、図４に示すように、上記手押し杆１５には、係止部材３０より下方に遠隔操作装置によって操作されるロック解除部材３３が手押し杆１５に沿って摺動可能に装着されている。このロック解除部材３３は手押し杆１５内に設けられたスプリング３４によって下方に付勢されており、外面にはロック解除杆３５が突出されている。一方、ロック部材２６には上記ロック解除杆３５の上方に突出する作動板３６が突出されており、ロック解除部材３３とともにロック解除杆３５が上方に引き上げられると、作動板３６を介してロック部材２６が上方に引き上げられ、ブラケット２５のロックが解除され、前述のようにベビーカーを折り畳むことができる。
【００１９】
図７（ａ）、（ｂ）は本発明におけるベビーカーの前輪部、及び後輪部の拡大図であり、ベビーカーの前脚１２及び後脚１４の下端部にそれぞれキャスターホルダー４０a、４０bが固着されており、上記キャスターホルダー４０a、４０bの下半部には鉛直方向に向く鉛直部が屈曲形成されており、そのキャスターホルダー４０a、４０bの鉛直部には下端面が開口する円柱状の空所４１ａ、４１bが形成されている。上記空所４１ａ、４１b内には、一側部に水平軸１１a、１３aにより前輪１１或いは１３を軸支したキャスター本体４２a、４２bから突出されたキャスター軸４３a、４３bが、キャスターホルダー４０a、４０bの軸線回りに回動可能に装着してある。上記キャスター本体４２a、４２bのキャスター軸４３a、４３bの下部にはキャスターホルダー４０a、４０bの下端縁部に当接する段部４４a、４４bが形成されており、その段部４４a、４４bには前輪１１或いは後輪１３が、直進方向に向いているときに後述する係止部材が係合する凹部４５a、４５bが形成されている。
【００２０】
一方、前輪側のキャスターホルダー４０a及び後輪側のキャスターホルダー４０bの互いに対向する側面には、上下方向に延びるロック部材収容部４６a、４６bが形成されており、そのロック部材収容部４６a、４６b内にロック部材４７a、４７bが上下摺動可能に設けられている。そして、上記ロック部材４７a、４７bはそれぞれスプリング４８a、４８bによって下方に付勢されている。
【００２１】
上記ロック部材４７a、４７bにはそれぞれリードワイヤ５０a、５０bの一端が連結されており、前輪側のロック部材４７aに連結されたリードワイヤ５０aは前脚１２内に挿通されている。同様に、後輪側のロック部材４６bに連結されたリードワイヤ５０bは後脚１３内に挿通されており、そのリードワイヤ５０bの他端部は、図２に示すように、アームレスト１６内を経て前脚１２内に挿入され、前脚１２内において前輪側のリードワイヤ５０aに連結具５１（図８）により互いに連結されている。
【００２２】
図８（ａ）、（ｂ）は上記リードワイヤ５０aとリードワイヤ５０bの連結部の詳細を示す拡大断面図であり、前脚１２内には上記リードワイヤ５０aとリードワイヤ５０bの端部が装着された連結具５１が前脚１２に沿って摺動可能に配設されている。すなわち、図８の（ａ）に示すように、前脚１２の頂端部をアームレスト１６に枢着する枢軸５２に、前脚１２内に配設された連結具案内部材５３が装着されており、その連結具案内部材５３に形成された長溝５３a内に上記連結具５１がその長溝５３aに沿って摺動可能としてある。また、前脚１２にはロック切り換え操作部材５４が摺動可能に嵌装されており、前脚１２の長溝１２aに挿通された軸５５により上記連結具５１とロック切り換え操作部材５４とが連結されている。そして、上記連結具５１は連結具案内部材５３との間に設けられたスプリング５６により上方に付勢されている。上記ロック切り換え操作部材５４には、外側方に突出する突片５４aが一体に設けられており、手押し杆１５が前方に揺動されたときその手押し杆１５に設けられた突部５７（図８（ｂ））が上記突片５４aに当接し、ロック切り換え操作部材５４を介して、上記連結具５１がスプリング５６に抗して下方に移動されるようにしてある。
【００２３】
しかして、手押し杆１５が図２のように後方に傾動され背面手押し状態の場合には、図７（ａ）に示すように、スプリング５６によってリードワイヤ５０aを介してロック部材４７aが上方に引き上げられ、前輪１１におけるキャスター本体４２aのロックが解放される。したがって、前輪１１の垂直軸線まわりの回動が自由となる。一方、この時には後輪１３側のロック部材４７bはスプリング４８bにより下方に移動され、後輪側のキャスター本体４２bのキャスター軸４３bの凹部４５bに係合される。したがって、後輪１３のキャスター本体４２bがロックされ後輪１３の垂直軸線回りの回動が阻止されるようになる。このようにして、背面押しの状態の場合には前輪１１のみが旋回可能になり、ベビーカーの操向を自由に行うことができる。
【００２４】
また、手押し杆１５を図６のように前方に揺動して対面押し状態とすると、その手押し杆１５に設けられた突部５７が、ロック切り替え操作部材５４の突片５４aに当接してロック切り替え操作部材５４が下方に押圧される。したがって、ロック部材４８aがスプリング４８aにより下方に押圧され、図９（ａ）に示すようにロック部材４７aがキャスター本体４２aの凹部４５aに係合し、キャスター本体４２aがロックされる。一方、この時にはリードワイヤ５０bによって後輪１３側のロック部材４７bが上方に引き上げられ、図９（ｂ）に示すように凹部５４bとのロックが解除される。したがって、進行方向前方側となる後輪１３のキャスター本体４２bが垂直軸線回りの回動が可能となり、進行方向後方向側となる前輪１１のキャスター本体４２aがロックされる。
【００２５】
このようにして、背面押し、或いは対面押し状態のいずれの場合にも進行方向前方側の車輪のみが旋回可能となり、後方側の車輪はその旋回がロックされるようになり、背面押し、或いは対面押し状態のいずれの場合にもその操向性をよくすることができる。
【００２６】
図１０は本発明の変形例を示す図であり、前脚１２の下端部に固着されたキャスターホルダー４０aには、下端面が開口する円柱状の空所６０が形成されており、その空所６０内には、一側部に水平軸１１aにより前輪１１を軸支したキャスター軸４３aがその軸線周りに回動可能、かつその空所６０の内面に沿って摺動可能に装着してある。
【００２７】
上記キャスター軸４３aの上部外面には周方向に延びる凹部６１が設けられており、その凹部６１内に、上記キャスターホルダー４０aに設けられた水平方向に延びる規制ピン６２が挿通され、上記凹部の上下段部と規制ピン６２との係合により上記キャスター軸４３aの上下方向の摺動範囲が規制されている。上記キャスター軸４３aにはそのキャスター軸４３aの径方向に進退可能な前輪直進状態位置固定ピン６３が設けられており、上記キャスター軸４３a内に取り付けられたバネ６４によって外方に突出するように付勢されている。
【００２８】
一方、キャスターホルダー４０aの空所６０の下部内面には、キャスター軸４３aが前輪１１とともに下方位置にあり、かつ前輪１１が直進方向に向いているときに、上記前輪位置固定ピン６３が係合する凹溝６５が設けられている。この凹溝６５は軸線方向に延びており、その凹溝６５の上端部にはキャスターホルダー４０aの空所６０の内面側に向かう傾斜が形成されている。
【００２９】
しかして、ベビーカーの使用時には前輪１１が接地しているため、前脚１２が下方に移動しており、すなわち、キャスターホルダー４０aに対して相対的にキャスター軸４３aが上方位置に位置している。したがって、前輪位置固定ピン６３が、図１０に示すように、空所６０の内面に当接し、その内面に沿って回動可能となっている。
【００３０】
一方、ベビーカーの折り畳み時に手押し杆によって前輪１１を上方に持ち上げると、前輪１１の自重によって前輪１１がキャスター軸４３aとともにキャスターホルダー４０aに対して下降する。したがって、その状態で前輪１１が揺動して直進方向に向くと、図１１に示すように、前輪直進状態位置固定ピン６３がバネ６４で突出され凹溝６５に係合し、前輪１１が直進方向に向いている状態に固定される。そのため、ベビーカーの折り畳みを行う場合にキャスター軸４３aに軸支されている前輪が直進位置でない状態で無理に折り畳まれるようなことが防止される。
【符号の説明】
【００３１】
１１  前輪
１２  前脚
１３  後輪
１４  後脚
１５  手押し杆
１６  アームレスト
１７  パイプ
２０  前側連結バー
２１  後側連結バー
２２  連結バー
２３  後脚支持部材
２４  上側連結バー
２５  ブラケット
２６  ロック部材
２８，２９  係止突起
３０  係止部材
３１  第１の凹部
３２  第２の凹部
３３  ロック解除部材
４０a、４０b  キャスターホルダー
４２a、４２b  キャスター本体
４５a、４５b  凹部
４７a、４７b  ロック部材
５０a、５０b  リードワイヤ
５１  連結具
５４  ロック切り換え操作部材
６３  前輪位置固定ピン
６４  バネ
６５  凹溝
【図１】
2012158331.tif 000003
【図２】
2012158331.tif 000004
【図３】
2012158331.tif 000005
【図４】
2012158331.tif 000006
【図５】
2012158331.tif 000007
【図６】
2012158331.tif 000008
【図７】
2012158331.tif 000009
【図８】
2012158331.tif 000010
【図９】
2012158331.tif 000011
【図１０】
2012158331.tif 000012
【図１１】
2012158331.tif 000013